(57)【要約】      （修正有）【課題】吸収性物品の形状を着用者の体の形状に追従させ、吸収性物品の装着感を向上させる。【解決手段】吸収性物品は、表面シート１０及び吸収コア３１を有する吸収性物品であって、前記吸収コアを含む本体部と、多数の粒状体及び前記多数の粒状体を包み、伸長可能な包装体６３を含む粒状層６０とを備え、前記粒状層は、前記表面シートよりも非肌当接面側において、平面視にて前記本体部の少なくとも一部に重なる。【選択図】図３
0003216870.tif 000002
【実用新案登録請求の範囲】
【請求項１】
表面シート及び吸収コアを有する吸収性物品であって、
前記吸収コアを含む本体部と、
多数の粒状体及び前記多数の粒状体を包み、伸長可能な包装体を含む粒状層と、を備え、
前記粒状層は、前記表面シートよりも非肌当接面側において、平面視にて前記本体部の少なくとも一部に重なる吸収性物品。
【請求項２】
前記包装体における肌当接面側の面及び非肌当接面側の面のうち少なくとも一方の面は、伸縮可能である請求項１に記載の吸収性物品。
【請求項３】
前記吸収コアの非肌当接面側に配置された裏面シート及び前記吸収コアを覆うコアラップを備え、
前記表面シート、前記裏面シート及び前記コアラップを含むシートにおける平面視で前記粒状層と重なる部分のうち少なくとも一つは、伸長可能である請求項１又は２に記載の吸収性物品。
【請求項４】
前記表面シート、前記裏面シート及び前記コアラップを含むシートにおける平面視で前記粒状層と重なる部分は、伸長可能である請求項３に記載の吸収性物品。
【請求項５】
前記包装体及び伸長可能である前記シートは、長手方向及び幅方向の少なくともいずれかの方向に伸長し、
前記包装体と伸長可能である前記シートとが伸長する方向は、一致する請求項３又は請求項４に記載の吸収性物品。
【請求項６】
前記粒状層は、前記包装体により分けられた複数の粒状区分から構成される請求項１乃至５のいずれか一項に記載の吸収性物品。
【請求項７】
前記粒状層は、前記吸収コアと前記裏面シートとの間に設けられる請求項３乃至５のいずれか一項に記載の吸収性物品。
【請求項８】
前記吸収コアは、トウを有する繊維を含む請求項１乃至７のいずれか一項に記載の吸収性物品。
【請求項９】
前記粒状体は、樹脂発泡ビーズ粒である請求項１乃至８のいずれか一項に記載の吸収性物品。
【請求項１０】
前記粒状層は、前記吸収コアと前記裏面シートとの間に設けられ、吸水性を有する繊維を含む請求項３、４、５及び７のいずれか一項に記載の吸収性物品。
【請求項１１】
表面シート及び吸収コアを有する吸収性物品であって、
多数の粒状体及び前記多数の粒状体を包む伸縮性を有する包装体を含む粒状層を備え、
前記粒状層は、前記包装体に対する圧力に応じて、前記粒状体が前記包装体内を移動し、着用者の体の形状に追従するように前記吸収コアの形状を変形させる吸収性物品。
【考案の詳細な説明】
【技術分野】
【０００１】
本考案は、生理用ナプキン等の吸収性物品に関する。
【背景技術】
【０００２】
一般に、着用者の肌に当接する液透過性の表面シートと液不透過性の裏面シートとの間に吸収コアが設けられている吸収性物品が知られている。吸収性物品のうち特に生理用ナプキンは下着により着用者の体の方に押し当てられ、着用者の体にフィットされるようにして使用される。
【０００３】
しかしながら、生理用ナプキンの使用時において、例えば下着のサイズや下着の弾性部材の状態、着用者の体勢（例えば起立時や着席時、就寝時の姿勢）によって、生理用ナプキンが着用者の体型にフィットしない場合がある。そして、例えば、着用者にとって下着のサイズが大きすぎる場合等では、排泄口と生理用ナプキンとの間に隙間が空いてしまい、体液が漏れやすくなってしまったり、着用者は体液が漏れてしまうことの不安感を感じてしまったりする。一方、例えば、着用者にとって下着のサイズが小さすぎる場合等では、生理用ナプキンと体とが密着しすぎてしまい、心地よい装着感が損なわれ、着用者は吸収性物品の着用時に違和感を覚えてしまう。
【０００４】
ここで、特許文献１には、着用者の体に対する圧力を分散させる吸収性物品が開示されている。具体的には、特許文献１に記載の吸収性物品は、吸収性ポリマーを含む２層の吸収コアを有し、２層の吸収コアの間にビーズ粒等からなる移動補助材が設けられている。特許文献１に記載の吸収性物品の吸収性ポリマーにおいて体液等が吸収されると、２層の吸収コア同士が向かい合う面に、粘性及び弾性を有するポリマー層が形成される。そして、形成されたポリマー層及びビーズ粒等からなる移動補助材により、２層の吸収コア同士はそれぞれが向かい合う面に沿ってズレやすくなり、着用者の体に対する圧力を分散させることができる。
【先行技術文献】
【特許文献】
【０００５】
【特許文献１】特開２００８−１８３１５９号公報
【考案の概要】
【考案が解決しようとする課題】
【０００６】
しかしながら、特許文献１に記載の吸収性物品では２層の吸収コア同士が向かい合う面に沿ってしか吸収コアが移動しない。したがって、特許文献１に記載の吸収性物品では吸収性物品から着用者の体方向へのフィット性を高めることができない。
【０００７】
そこで、本考案は、上述の課題に鑑みてなされたものであり、吸収性物品の形状を着用者の体の形状に追従させ、吸収性物品の装着感を向上させることを目的とする。
【課題を解決するための手段】
【０００８】
本考案の実施形態における表面シート１０及び吸収コア３１を有する吸収性物品１は、前記吸収コアを含む本体部２と、多数の粒状体及び前記多数の粒状体を包み、伸長可能な包装体６３を含む粒状層６０とを備え、前記粒状層は、前記表面シートよりも非肌当接面側において、平面視にて前記本体部の少なくとも一部に重なる。
【考案の効果】
【０００９】
本実施形態における吸収性物品によれば、吸収性物品の形状を着用者の体の形状に追従させ、吸収性物品の装着感を向上できる。
【図面の簡単な説明】
【００１０】
【図１】本考案の実施形態における吸収性物品の肌当接面側から見た平面図である。
【図２】図１に示すＡ−Ａ断面の模式断面図である。
【図３】着用時における図１に示すＡ−Ａ断面の模式断面図である。
【図４】本考案の実施形態における包装体及び各シート（表面シート、裏面シート及びコアラップ）の伸長方向の一例を模式的に示す図である。
【図５】平面視における粒状層の移動の様子を模式的に示す図である。
【図６】断面図における粒状層の移動の様子を模式的に示す図である。
【図７】分離壁により分けられる粒状層の断面を模式的に示した図である。
【図８】本考案の実施形態の第１の変形例における包装体及び各シート（表面シート、裏面シート及びコアラップ）の伸長方向の一例を模式的に示す図である。
【図９】本考案の実施形態の第２の変形例における包装体及び各シート（表面シート、裏面シート及びコアラップ）の伸長方向の一例を模式的に示す図である。
【考案を実施するための形態】
【００１１】
（１）吸収性物品の全体構成
図１〜図３を参照して、本実施形態における吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
図１は、吸収性物品の肌当接面側から見た平面図である。図２は、図１に示すＡ−Ａ断面の模式断面図である。図３は、吸収性物品の着用時における図１に示すＡ−Ａ断面の模式断面図である。本実施形態における吸収性物品１は、夜用の生理用ナプキンである。
【００１３】
吸収性物品１は、表面シート１０と、裏面シート２０と、表面シート１０と裏面シート２０との間に設けられる吸収体３０と、表面シート１０より非肌当接面側に設けられる粒状層６０とを有する。吸収体３０は、吸収コア３１と吸収コア３１を覆うコアラップ３２とを有する。吸収性物品１は、幅方向Ｗの中心ＷＣを含む本体部２及び本体部２と幅方向Ｗにおいて隣り合う側部３を有する。本体部２は、吸収コア３１（吸収体３０）を有する。側部３には、幅方向Ｗの外側に延出するウイング部４０及びヒップフラップ部５０が設けられる。側部３は、ウイング部４０の長手方向Ｌの前方側の根元部分より幅方向Ｗの外側の領域である。本体部２は、幅方向Ｗの中心ＷＣを含み、ウイング部４０の長手方向Ｌの前方側の根元部分より幅方向Ｗの内側の領域である。粒状層６０は、吸収性物品１の平面視において本体部２の少なくとも一部に重なるように設けられる。ここで、吸収性物品１の平面視とは、厚み方向Ｔにおいて離れた位置から展開状態の吸収性物品１を視認したものである。また、吸収性物品１の展開状態とは、図１に示す状態であり、吸収性物品が折り畳まれてなく、ウイング部４０及びヒップフラップ部５０が厚さ方向Ｔにおいて本体部２に重なっていない状態である。
【００１４】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１５】
裏面シート２０は、体液等の液体を透過しない液不透過性のシートである。裏面シート２０は、平面視において表面シート１０に重なるような大きさを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシート等を用いることができる。
【００１６】
吸収体３０に含まれる吸収コア３１は、体液を吸収可能な吸収材料によって形成される。吸収材料は、例えば、親水性繊維、パルプ、ＳＡＰ、トウからなる繊維集合体等を含む。本実施形態における吸収コア３１は、複数層のトウからなる繊維集合体及びＳＡＰを含む。
【００１７】
吸収体３０に含まれるコアラップ３２は、液透過性で高分子吸収体が透過しないバリアー性を有するものにより形成される。コアラップ３２は、例えば、天然繊維、化学繊維、ティッシュ等の織布又は不織布等である。
【００１８】
本実施形態における吸収コア３１は、例えば、トウからなる繊維集合体を、ティッシュに載せ、その上に、ＳＡＰを、例えば、約８０ｇ／ｍ２散布し、次いで、その上に、トウからなる繊維集合体及び高吸収性ポリマー（約８０ｇ／ｍ２）を積層し、次いで、その上に、トウからなる繊維集合体及び高吸収性ポリマー（約８０ｇ／ｍ２）を積層し、その上に、ティッシュを積層し、次いで、プレス機で圧縮、例えば、３５ｋｇ／ｃｍ２の圧力で５秒間圧縮することにより形成される。
【００１９】
本実施形態における吸収コア３１の坪量は、積層数、具体的な用途等によって変化するが、例えば、約１０〜約１０００ｇ／ｍ２の坪量等を有することができる。
【００２０】
ウイング部４０は、非肌当接面側に折り返し可能に構成されており、着用時に下着のクロッチ部の非肌当接面側に折り返される。
【００２１】
ヒップフラップ部５０は、ウイング部４０の長手方向Ｌの後方に位置する。ヒップフラップ部５０は、着用時に下着の非肌当接面側に折り返されずに下着の肌当接面側に配置されるように構成されている。
【００２２】
粒状層６０は、多数の粒状体と、粒状体を包み伸長可能な包装体６３とを含む。
【００２３】
粒状体は、例えば、例えばポリスチレン発泡ビーズやポリオレフィン発泡ビーズのような疎水性の樹脂発泡ビーズである。樹脂発泡ビーズは、粒径が１〜５ｍｍφ程度であり、嵩密度が０．０１〜０．１ｇ／ｃｍ３である。本実施形態における樹脂発泡ビーズは、一般にクッション又は枕や布団等の寝具に用いられるものが用いられてもよい。本実施形態の粒状層６０では、多数の樹脂発泡ビーズが包装体を構成する袋状の布地に充填されている。包装体に対して圧力が加わると、圧力に応じて包装体内を樹脂発泡ビーズが移動する。本実施形態における粒状層６０に対して圧力が加わるときの粒状体の動きは後述する。粒状層６０の厚さ方向Ｔの反発力は、吸収コア３１の反発力より大きくなるように構成される。ここで、反発力は、ＫＥＳ圧縮特性試験において測定され、圧縮試験機、例えば、カトーテック株式会社製のＫＥＳ（ハンディ圧縮試験機、型式：ＫＥＳ−Ｇ５）が用いられる。
【００２４】
包装体６３は、少なくとも長手方向又は幅方向に伸長可能である。包装体６３において厚さ方向の外側であり、かつ肌当接面側の面（図２の例ではコアラップ３２と接する面）及び非肌当接面側の面（図２の例では裏面シートと接する面）のうち少なくとも一方は、伸縮可能であることが好ましい。伸長可能な包装体６３には、伸長性不織布が用いられ、例えば、伸長可能な熱可塑性のポリオレフィン繊維により形成される。伸縮可能な包装体６３には、伸縮性不織布が用いられ、例えば、伸長可能な熱可塑性のポリオレフィン繊維と伸縮可能な熱可塑性のエラストマ繊維とを混合させることにより形成される。包装体６３は、肌当接面側の面を伸縮性不織布、肌非当接面側の面を伸長性不織布として構成されてもよい。
【００２５】
包装体６３に延伸処理、例えばギア延伸加工を施すことにより、包装体６３をより伸長可能にしてもよい。例えば、ギア延伸加工は、一対のギアロールのそれぞれの外周面に配置された複数の歯を互いに噛み合わせながら回転するギアロールの間隙に、包装体６３を通過させることにより行われる。ギアロールを通過した包装体６３は、より伸長可能となる。
【００２６】
粒状層６０は、平面視において本体部２の少なくとも一部に重なるように設けられる。
【００２７】
粒状層６０は、平面視において分離壁６２により分けられた複数の粒状区分６１から構成される。分離壁６２は、粒状層６０を複数の粒状区分６１に分ける仕切りである。
【００２８】
粒状層６０は、例えば親水性繊維、パルプ又はＳＡＰ等の吸水性を有する繊維を含み、吸収性を有する繊維と粒状体（樹脂発泡ビーズ）とが互いに接合されていないように構成してもよい。
【００２９】
図２は、吸収性物品１の図１のＡ−Ａ断面を基準とした断面図である。図２に示すように、本実施形態の吸収性物品１では、粒状層６０は、厚さ方向Ｔにおいて、吸収体３０と裏面シート２０との間に設けられる。なお、粒状層６０は吸収体３０より非肌当接面側に設けられていればよく、例えば粒状層６０は裏面シート２０の非肌当接面側に設けられてもよい。
【００３０】
図３は、吸収性物品１が着用者に着用された状態（以下、着用状態という。）の図１のＡ−Ａ断面を基準とした断面図である。図３に示す着用状態では、吸収性物品１が着用者の両脚に挟まれている。図３に示すように、着用状態では、粒状層に対する圧力に応じて、包装体６３が伸長し、包装体６３内で粒状体が自由に移動し、吸収体３０の形状を変化させる。
【００３１】
図４は、本実施形態における包装体６３及び各シート（表面シート１０、裏面シート２０及びコアラップ３２）の伸長方向の一例を模式的に示す図である。図４（Ａ）は、包装体６３が幅方向Ｗに伸長可能な例を示している。図４（Ｂ）は、包装体６３が長手方向Ｌに伸長可能な例を示している。なお、包装体６３の伸長可能な方向は、長手方向Ｌ及び幅方向Ｗであってもよい。また、包装体６３は、伸縮可能であってもよい。
【００３２】
（２）粒状層の機能
図５は、平面視における粒状層６０内の粒状体の移動の様子を模式的に示す図である。図５（Ａ）は、粒状層６０に対して圧力が掛かっていない状態である。図５（Ｂ）は、粒状層６０に対して厚さ方向Ｔの圧力Ｆが掛かっている状態である。図５（Ｂ）に示すように、圧力Ｆが掛かっている圧力の高い部分から他の圧力の低い部分に対して粒状体が移動する。
【００３３】
図６は、厚さ方向Ｔに平行な断面図における粒状層６０内の粒状体の移動の様子を模式的に示す図である。図６（Ａ）は、吸収性物品１に対して、厚さ方向Ｔの圧力Ｆが掛かる前の状態（圧力が掛かっていない状態）である。図６（Ｂ）は、吸収性物品１に対して、厚さ方向Ｔの圧力Ｆが掛かっている状態である。図６（Ｂ）に示すように、圧力Ｆは、表面シート１０及び吸収体３０（吸収コア３１、コアラップ３２）を介して、包装体６３に対して掛けられる。包装体６３が吸収性物品の厚さ方向Ｔの圧力Ｆを受けると、包装体６３は厚さ方向Ｔに伸長し、包装体６３に包まれている粒状体が粒状層６０内において圧力が高い方から低い方に移動する。圧力が低い方に移動した粒状体が、包装体６３を伸長させ、平面視において重なる吸収体３０及び表面シート１０を厚さ方向Ｔに押し上げる。このように、吸収性物品１に粒状層６０が設けられ、粒状体を包む包装体６３が伸長可能であることにより、粒状層６０に対する圧力に応じて、包装体６３が伸長し、粒状体が伸長された包装体６３内を移動するため流動性が高まる。このように、着用者の体の形状に追従するように吸収体の形状を変形させることができる。したがって、吸収性物品１の着用状態では吸収性物品１に対する圧力に応じた凹凸形状が吸収体３０及び表面シート１０上で形成され、吸収性物品１が着用者の体の形状に沿うように変化する。
【００３４】
なお、着用状態における吸収性物品１に対する圧力は、厚さ方向Ｔに限らず、幅方向Ｗ及び長手方向Ｌにおいても加わる。厚さ方向Ｔの圧力が掛かる場合同様、幅方向Ｗ及び長手方向Ｌの圧力が掛かる場合においても、粒状層６０内の粒状体は圧力の高い部分から圧力の低い部分に移動する。
【００３５】
（３）粒状層の構成
図７は、粒状層６０の構成を説明するための模式断面図である。図８に示すように、粒状層６０には粒状体を包む包装体６３が設けられ、分離壁６２により分けられている複数の粒状区分６１により構成される。なお、分離壁６２は、図７に示すように一つの包装体を線状に接合することにより形成されてもよいし、複数の別個の包装体同士を接合することにより両者が接する面状として形成されてもよい。
【００３６】
（４）第１の変形例における吸収性物品
図８は、本考案の実施形態の第１の変形例における包装体６３及び各シート（表面シート１０、裏面シート２０及びコアラップ３２）の伸長方向の一例を模式的に示す図である。第１の変形例における包装体６３、表面シート１０、裏面シート２０及びコアラップ３２のうち少なくともいずれか一つは、長手方向Ｌ又は幅方向Ｗに伸長可能である。図８（Ａ）は、包装体６３とコアラップ３２とが幅方向に伸長可能な例を示している。図８（Ｂ）は、包装体６３は長手方向Ｌに伸長可能であって、表面シート１０は幅方向Ｗに伸長可能な例を示している。なお、伸長可能な表面シート１０、裏面シート２０及びコアラップ３２において伸長する部分は、平面視で粒状層６０と重なる部分であればよい。第１の変形例における吸収性物品１によれば、吸収性物品１の形状を着用者の体の形状に追従させ、吸収性物品１の装着感を向上できる。
【００３７】
（５）第２の変形例における吸収性物品
図９は、本考案の実施形態の第２の変形例における包装体６３及び各シート（表面シート１０、裏面シート２０及びコアラップ３２）の伸長方向の一例を模式的に示す図である。第２の変形例における包装体６３、表面シート１０、裏面シート２０及びコアラップ３２の全ては、長手方向Ｌ又は幅方向Ｗに伸長可能であって、伸長する方向が一致する。図９（Ａ）は、包装体６３、表面シート１０、裏面シート２０及びコアラップ３２が幅方向Ｗに伸長可能である例を示している。図９（Ｂ）は、包装体６３、表面シート１０、裏面シート２０及びコアラップ３２が長手方向Ｌに伸長可能である例を示している。なお、伸長可能な表面シート１０、裏面シート２０及びコアラップ３２において伸長する部分は、平面視で粒状層６０と重なる部分であればよい。第２の変形例における吸収性物品１によれば、吸収性物品１の形状を着用者の体の形状に追従させ、吸収性物品１の装着感を向上できる。
【００３８】
（６）作用・効果
粒状層６０が吸収性物品の厚み方向の圧力を受けることにより、粒状層６０に含まれる多数の粒状体が粒状層内で四方八方に移動する。粒状体は、粒状層内において圧力が高い部分から低い部分に移動する。
【００３９】
本実施形態の吸収性物品１は、多数の粒状体を包む、伸縮可能な包装体６３を含む粒状層６０を備えるように構成される。
【００４０】
吸収性物品１の着用時に、着用者からの圧力は、表面シート１０を介して、包装体６３に掛けられる。そして、包装体６３に含まれる多数の粒状体は、包装体６３において圧力の高い部分の粒状体が、包装体６３において圧力の低い部分の方に移動する。そして、包装体６３内を移動した粒状体により、表面シート１０が厚み方向に押し上げられる。これにより、着用者の体の形状に沿うように吸収性物品１の形状が変化し、吸収性物品１の装着感を向上させることができる。
【００４１】
ここで、粒状体を包む包装体６３が伸長可能であることにより、包装体６３において圧力が掛けられた部分が圧力の方向に伸長して変形することで、伸長しない包装体６３が用いられる場合に比べ、粒状体に掛かる圧力は高くなる。すなわち、圧力の変化に応じて移動する粒状体を多くすることができる。
【００４２】
さらに、包装体６３における圧力の高い部分から低い部分に移動した粒状体により伸長可能な包装体６３が伸長される。これにより、伸長しない包装体６３が用いられる場合に比べ、粒状体は、圧力が掛かっていない状態の包装体６３のサイズを超えた範囲において移動可能となる。
【００４３】
このように、包装体６３が伸長可能であることにより、伸長しない包装体６３が用いられる場合に比べ、粒状体を包装体６３内で移動しやすくすることで、より吸収性物品１を着用者の体に追従させやすくし、吸収性物品１の装着感を向上させることができる。
【００４４】
また、吸収性物品１における本体部２のうち粒状層６０が配置された部分では、着用者の体からの圧力の変化に応じて粒状体が移動し、体の形状に沿うように吸収コア３１の形状が変化する。
【００４５】
これにより、粒状層６０が配置された部分では吸収性物品１１と着用者の体との間に隙間が生じなくなり、吸収性物品１１の外部への体液の漏れを防止できる。
【００４６】
包装体６３における肌当接面側及び非肌当接面側のうち少なくとも一方の面が、伸縮可能であることにより、包装体６３に対して掛かっていた圧力が解放された場合、包装体６３は元の形状（サイズ）に戻ることができる。そのため、着用者の姿勢が変わったり、一度吸収性物品１を着脱した後、再度使用したりする場合においても、都度着用者の体からの圧力の変化に応じて粒状体が移動し、体の形状に沿うように吸収コア３１の形状を変化させることができる。
【００４７】
表面シート１０、裏面シート２０及び吸収コア３１を覆うコアラップ３２を含むシートのうち少なくともいずれか一つが伸長可能であるように構成される。これにより、着用時に吸収性物品１が変形される際、伸長可能なシートが伸長するため、吸収性物品１が体に追従するための変形を妨げないようにすることができ、より吸収性物品１の装着感を向上させるとともに体液の漏れを防止できる。
【００４８】
表面シート１０、裏面シート２０及びコアラップ３２のうち平面視で粒状層６０と重なる部分は、伸長可能であるように構成されることにより、下着の動きに合せて、吸収性物品１が伸長可能であるため、粒状体の移動に合せて吸収性物品１本体も伸長でき、体の動きに吸収性物品１が追従できる。
【００４９】
包装体６３及び伸長可能であるシート（表面シート１０、裏面シート２０及びコアラップ３２）は、長手方向Ｌ及び幅方向Ｗの少なくともいずれかの方向に伸長する。また、包装体６３と伸長可能であるシートとが伸長する方向は一致するように構成される。これにより、着用時に長手方向Ｌ及び幅方向Ｗに折り曲げられる（変形する）吸収性物品１の変形の方向に沿って、包装体６３及び伸長可能であるシートが同じ方向に伸長する。すなわち、伸長する方向が異なる場合に比べ、吸収性物品１が体に追従するための変形をよりし易くでき、吸収性物品１の装着感の向上及び体液の漏れを防止できる。
【００５０】
粒状層６０は、平面視において包装体６３により分けられた複数の粒状区分６１から構成される。例えば、粒状層６０が包装体６３により分けられてない場合（粒状体が一つの包装体に包まれている場合）、ある一方向に粒状体が偏ってしまう。この場合、吸収性物品１の部分によっては着用時において圧力の変化に応じて移動する粒状体が少ない状態が発生しうる。一方、本実施形態の吸収性物品１のように、粒状層６０を包装体６３により分けることにより、粒状層６０に含まれる粒状体のある方向への偏りを減らし、着用状態における圧力の変化の大きさが異なる部分に応じて適当な量の粒状体を配置できる。すなわち、粒状区分６１を吸収性物品１の全体、つまり広範囲に渡って配置することで、吸収性物品１の全体において、圧力の変化に応じて吸収性物品１の形状を着用者の体の形状に追従させやすくできる。
【００５１】
粒状層６０は、吸収コア３１と裏面シート２０との間に設けられることにより、粒状層６０が表面シート１０と吸収コア３１との間に設けられる場合に比べ、表面シート１０を介して吸収コア３１が体液を吸収するため、吸収性物品１の吸収能力を低下させることがない。
【００５２】
吸収体３０は、トウからなる繊維集合体を含む。吸収体３０がより嵩高になるトウからなる繊維集合体を含むことにより、着用状態における体と吸収性物品１とが接しやすくなり、より装着感を向上できる。
【００５３】
粒状層６０に含まれる粒状体が、流動性の高い樹脂発泡ビーズ粒であることにより、粒状層６０の包装体６３内を移動しやすく、吸収性物品１の形状が体の形状に追従しやすく変形できる。
【００５４】
粒状層６０は、吸収コア３１と裏面シート２０との間に設けられ、吸水性を有する繊維を含み、粒状層６０に含まれる吸収性を有する繊維と粒状体とは互いに接合されていないように構成される。これにより、粒状層６０においても体液の吸収が可能となり、吸収性物品１の吸収能力を向上させることができる。
【００５５】
（７）その他の実施形態
本実施形態の吸収性物品は、夜用の生理用ナプキンであるが、下着により体に押し当てて使用される吸収性物品であればよく、他の実施形態として、昼用の生理用ナプキンやパンティライナー、尿取りパッドであってもよい。また、生理用ナプキンは、ヒップフラップを備えていなくてもよい。
【００５６】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。従って、本明細書の記載は、例示説明を目的とするものであり、本考案に対して何ら制限的な意味を有するものではない。
【符号の説明】
【００５７】
１        吸収性物品
２        本体部
３        側部
１０      表面シート
２０      裏面シート
３０      吸収体
３１      吸収コア
３２      コアラップ
３３      圧搾部
４０      ウイング部
５０      ヒップフラップ部
６０      粒状層
６１      粒状区分
６２      分離壁
６３      包装体
Ｌ        長手方向
Ｗ        幅方向
ＷＣ      幅方向中心
Ｔ        厚さ方向
【図１】
0003216870.tif 000003
【図２】
0003216870.tif 000004
【図３】
0003216870.tif 000005
【図４】
0003216870.tif 000006
【図５】
0003216870.tif 000007
【図６】
0003216870.tif 000008
【図７】
0003216870.tif 000009
【図８】
0003216870.tif 000010
【図９】
0003216870.tif 000011